(57)【要約】【課題】ユーザが希望する条件を満たす経路を容易に探索可能な情報処理システム、情報処理方法、情報処理装置、端末装置、サーバ、および情報処理プログラムを提供する。【解決手段】情報処理システム１は、探索条件を設定する探索条件設定部２２２と、探索条件に基づいて経路探索を行う経路探索部３２１と、経路探索により得られた経路探索結果から、探索条件として再度設定することが可能な固定可能条件を抽出する固定可能条件抽出部３２２と、固定可能条件を選択可能に提示する情報提示部２２３とを備え、経路探索部３２１は、情報提示部２２３により提示された固定可能条件の中から選択された固定可能条件を含む再探索条件に基づいて再経路探索を行い、情報提示部２２３は、再経路探索により得られた再経路探索結果を提示する。【選択図】図１
2015105828.tif 000002
【特許請求の範囲】
【請求項１】
探索条件を設定する探索条件設定手段と、
前記探索条件に基づいて経路探索を行う経路探索手段と、
前記経路探索により得られた経路探索結果から、探索条件として再度設定することが可能な固定可能条件を抽出する固定可能条件抽出手段と、
前記固定可能条件を選択可能に提示する情報提示手段と、
を備え、
前記経路探索手段は、前記情報提示手段により提示された固定可能条件の中から選択された固定可能条件を含む再探索条件に基づいて再経路探索を行い、前記情報提示手段は、前記再経路探索により得られた再経路探索結果を提示する、
ことを特徴とする情報処理システム。
【請求項２】
前記固定可能条件は、路線、列車種別、当駅始発、列車の車両種別、発着番線、経由駅、行き先、指定席の空き状況、バスの車両種別、および、交通機関の乗り場のうち少なくとも一つを含むことを特徴とする請求項１に記載の情報処理システム。
【請求項３】
前記情報提示手段は、当初の探索条件に基づく経路探索結果との相違部分または一致部分を強調した態様で、前記再経路探索結果を提示することを特徴とする請求項１または２に記載の情報処理システム。
【請求項４】
前記情報提示手段は、ある固定可能条件が選択されると、当該固定可能条件に関連する別の固定可能条件を提示することを特徴とする請求項１〜３のいずれかに記載の情報処理システム。
【請求項５】
前記情報提示手段は、前記固定可能条件を、前記経路探索結果から直接選択可能なように提示することを特徴とする請求項１〜４のいずれかに記載の情報処理システム。
【請求項６】
探索条件を設定するステップと、
前記探索条件に基づいて経路探索を行うステップと、
前記経路探索により得られた経路探索結果から、探索条件として再度設定することが可能な固定可能条件を抽出するステップと、
前記固定可能条件を選択可能に提示するステップと、
前記提示された固定可能条件の中から選択された固定可能条件を含む再探索条件に基づいて、再経路探索を行うステップと、
前記再経路探索により得られた再経路探索結果を提示するステップと、
を備えることを特徴とする情報処理方法。
【請求項７】
探索条件を設定する探索条件設定手段と、
前記探索条件に基づく経路探索により得られた経路探索結果と、探索条件として再度設定することが可能な固定可能条件とを受信する通信手段と、
前記固定可能条件を選択可能に提示する情報提示手段と、
前記情報提示手段により提示された固定可能条件の中から選択された固定可能条件を入力する操作入力手段と、
を備え、
前記通信手段は、前記選択された固定可能条件を含む再探索条件を送信した後、前記再探索条件に基づく再経路探索により得られた再経路探索結果を受信し、前記情報提示手段は前記再経路探索結果を提示することを特徴とする端末装置。
【請求項８】
探索条件を受信する通信手段と、
前記探索条件に基づいて経路探索を行う経路探索手段と、
前記経路探索により得られた経路探索結果から、探索条件として再度設定することが可能な固定可能条件を抽出する固定可能条件抽出手段と、
を備え、
前記通信手段は、前記経路探索結果および前記固定可能条件を送信し、前記固定可能条件の中から選択された固定可能条件を含む再探索条件を受信し、前記経路探索手段は前記再探索条件に基づいて再経路探索を行うことを特徴とするサーバ。
【請求項９】
コンピュータを、
探索条件を設定する探索条件設定手段、
前記探索条件に基づいて経路探索を行う経路探索手段、
前記経路探索により得られた経路探索結果から、探索条件として再度設定することが可能な固定可能条件を抽出する固定可能条件抽出手段、
前記固定可能条件を選択可能に提示する情報提示手段、
として機能させるための情報処理プログラムであって、
前記経路探索手段は、前記情報提示手段により提示された固定可能条件の中から選択された固定可能条件を含む再探索条件に基づいて再経路探索を行い、前記情報提示手段は、前記再経路探索により得られた再経路探索結果を提示することを特徴とする情報処理プログラム。
【発明の詳細な説明】
【技術分野】
【０００１】
本発明は、情報処理システム、情報処理方法、情報処理装置、端末装置、サーバ、および情報処理プログラムに関する。
【背景技術】
【０００２】
従来、設定された探索条件に基づいて経路探索を行い、その結果（経路探索結果）をユーザに提示する情報処理システムが知られている。
【０００３】
特許文献１では、経路探索結果として提示された経路の任意の区間について、その区間の移動方法（移動手段等）をユーザが希望する移動方法に変更し、再度経路探索を行うことが可能なナビゲーションシステムとしての情報処理システムが開示されている。
【先行技術文献】
【特許文献】
【０００４】
【特許文献１】特開２０１２−１４１２３９号公報
【発明の概要】
【発明が解決しようとする課題】
【０００５】
しかしながら、特許文献１の情報処理システムでは再度経路探索を行う際に、前回の経路探索で設定された探索条件のうちユーザが希望する条件が変更されてしまうことがある。このため、希望する条件を満たす経路が得られるまでユーザは何度も経路探索を繰り返す必要があった。
【０００６】
本発明は上記の問題点に鑑みてなされたものであり、その目的は、ユーザが希望する条件を満たす経路を容易に探索可能な情報処理システム、情報処理方法、情報処理装置、端末装置、サーバ、および情報処理プログラムを提供することである。
【課題を解決するための手段】
【０００７】
本発明の一態様によれば、探索条件を設定する探索条件設定手段と、前記探索条件に基づいて経路探索を行う経路探索手段と、前記経路探索により得られた経路探索結果から、探索条件として再度設定することが可能な固定可能条件を抽出する固定可能条件抽出手段と、前記固定可能条件を選択可能に提示する情報提示手段とを備え、前記経路探索手段は、前記情報提示手段により提示された固定可能条件の中から選択された固定可能条件を含む再探索条件に基づいて再経路探索を行い、前記情報提示手段は、前記再経路探索により得られた再経路探索結果を提示する、情報処理システムが提供される。
【発明の効果】
【０００８】
本発明によれば、ユーザが希望する条件を満たす経路を容易に探索できる。
【図面の簡単な説明】
【０００９】
【図１】本発明の一実施形態に係る情報処理システム１の概略的な構成を示す図である。
【図２Ａ】情報処理システム１の処理動作の一例を示すシーケンス図である。
【図２Ｂ】図２Ａに続く、情報処理システム１の処理動作の一例を示すシーケンス図である。
【図３】（ａ）および（ｂ）のいずれも、経路探索結果を表示する画面の一例である。
【図４】固定可能条件が選択可能に表示された画面の一例である。
【図５】再経路探索結果を表示する画面の一例である。
【図６】（ａ）、（ｂ）および（ｃ）のいずれも、第１の使用例を説明するための画面の一例である。
【図７】（ａ）、（ｂ）および（ｃ）のいずれも、第２の使用例を説明するための画面の一例である。
【図８】（ａ）、（ｂ）および（ｃ）のいずれも、第３の使用例を説明するための画面の一例である。
【発明を実施するための形態】
【００１０】
以下、本発明に係る実施形態について、図面を参照しながら具体的に説明する。
【００１１】
図１は、本発明の一実施形態に係る情報処理システム１の概略的な構成を示している。情報処理システム１は、出発地から目的地までの経路を探索し、その結果をユーザに提示する経路探索システムである。
【００１２】
情報処理システム１は、図１に示すように、端末装置２およびサーバ３を備えている。端末装置２とサーバ３とは、ネットワーク４を介して互いに通信可能に接続されている。
【００１３】
なお、端末装置２およびサーバ３の少なくとも一部は、コンピュータにより実現される。また、ネットワーク４は、有線回線および無線回線のいずれでもよく、回線の種類や形態は問わない。
【００１４】
まず、端末装置２について説明する。端末装置２は、ユーザが使用するものであり、例えば、携帯電話、スマートフォンもしくはタブレット端末装置等のモバイル電子機器である。
【００１５】
端末装置２は、図１に示すように、通信部２１と、制御部２２とを有する。
【００１６】
通信部２１は、ネットワーク４を介して制御部２２とサーバ３との間で情報を送受信するためのインターフェースである。
【００１７】
制御部２２は、操作入力部２２１と、探索条件設定部２２２と、情報提示部２２３とを有する。
【００１８】
操作入力部２２１は、ユーザが端末装置２に操作を入力するためのインターフェースであり、例えばタッチパネル、キーボード、マイク等である。
【００１９】
探索条件設定部２２２は、操作入力部２２１を介してユーザにより入力された情報に基づいて探索条件を設定する。探索条件は、出発地から目的地までの経路を探索するための条件であり、例えば、出発地、目的地および出発日時（若しくは到着日時）等の条件を含む。
【００２０】
情報提示部２２３は、端末装置２からユーザへ各種情報を提示するインターフェースである。情報提示部２２３は、例えば、映像を表示する液晶ディスプレイ等の表示装置である。
【００２１】
情報提示部２２３は、ユーザに固定（ロック）可能条件を選択可能に提示する。ここで、固定可能条件とは、経路探索により得られた経路探索結果から、探索条件として再度設定することが可能な条件をいう。
【００２２】
また、情報提示部２２３は、経路探索により得られた経路探索結果を提示する。この場合、情報提示部２２３は、経路探索結果等の情報を音声によりユーザに提示してもよい。
【００２３】
なお、操作入力部２２１がタッチパネルの場合、情報提示部２２３が操作入力部２２１を兼ねる。この場合、情報提示部２２３は、ユーザからの操作を受け付けるためのＧＵＩ（Ｇｒａｐｈｉｃａｌ  Ｕｓｅｒ  Ｉｎｔｅｒｆａｃｅ）を表示してもよい。
【００２４】
また、情報提示部２２３は、外部に接続される表示手段に映像信号を出力するものであってもよい。
【００２５】
次に、サーバ３について説明する。サーバ３は、与えられた探索条件に基づいて経路探索を実行し、経路探索結果を生成する。
【００２６】
図１に示すように、サーバ３は、通信部３１と、制御部３２と、記憶部３３とを有する。
【００２７】
通信部３１は、ネットワーク４を介して端末装置２と制御部３２との間で情報を送受信するインターフェースである。
【００２８】
記憶部３３は、経路探索を行うために必要な経路ネットワークデータベース３３１を記憶している。経路ネットワークデータベース３３１は、電車やバス等の交通機関に関する情報（時刻表、発着場所、行き先等）を含む。
【００２９】
記憶部３３は、例えば、ハードディスク等の固定型データストレージである。なお、記憶部３３は、必ずしもサーバ３内に設けられなくてもよく、ネットワーク４を介して通信可能に接続された別の装置内に設けられてもよい。
【００３０】
制御部３２は、経路探索部３２１と、固定可能条件抽出部３２２とを有する。
【００３１】
経路探索部３２１は、探索条件設定部２２２により設定された探索条件を端末装置２から取得する。そして、経路探索部３２１は、記憶部３３に記憶された経路ネットワークデータベース３３１を用いて、端末装置２から取得した探索条件に基づいて経路探索を行う。
【００３２】
固定可能条件抽出部３２２は、経路探索により得られた経路探索結果から固定可能条件を抽出する。
【００３３】
固定可能条件は、路線、列車種別、列車の車両種別、発着番線、経由駅、行き先、指定席の空き状況、バスの車両種別、および、バスやタクシー等の交通機関の乗り場のうち少なくとも一つを含む。
【００３４】
ここで、列車種別は、特急、快速、急行および各駅停車（各停）等の列車の種類、列車の愛称、列車の型番（例えば新幹線のＮ○○系）等である。その他、列車種別は、当駅始発、始発列車、最終列車（終電）であってもよい。
【００３５】
列車の車両種別は、例えば、グリーン車、女性専用車両、自由席（または指定席）を有する車両などである。
【００３６】
指定席の空き状況は、例えば、窓際の席に空きが有る状況や、三人掛けの席に空きが有る状況などである。
【００３７】
バスの車両種別は、例えば、ノンステップバスなどである。
【００３８】
次に、図２Ａおよび図２Ｂを参照して、情報処理システム１による情報処理方法（経路探索方法）の一例について説明する。
【００３９】
まず、端末装置２の探索条件設定部２２２は、出発地から目的地までの経路を探索するための探索条件を設定する（ステップＳ１１）。例えば、出発地のＸビルおよび目的地のＣ駅を含む探索条件を設定する。
【００４０】
なお、探索条件設定部２２２は、操作入力部２２１から入力された情報を探索条件として設定してもよいし、あるいは、端末装置２に設けられた記憶部（図示せず）に格納された探索条件（例えば過去に設定された条件）を読み出して探索条件として設定してもよい。また、探索条件設定部２２２は、探索条件のうち一部の条件を操作入力部２２１から入力された情報により設定し、それ以外の条件を端末装置２に設けられた記憶部に格納された条件を用いて設定してもよい。
【００４１】
次に、端末装置２の通信部２１は、探索条件設定部２２２により設定された探索条件をサーバ３に送信する（ステップＳ１２）。そして、サーバ３の通信部３１は、端末装置２から送信された探索条件を受信する（ステップＳ３１）。
【００４２】
次に、サーバ３の経路探索部３２１は、端末装置２から受信した探索条件に基づいて経路探索を行う（ステップＳ３２）。
【００４３】
次に、サーバ３の固定可能条件抽出部３２２は、経路探索により得られた経路探索結果から、探索条件として再度設定することが可能な固定可能条件を抽出する（ステップＳ３３）。
【００４４】
具体的には、固定可能条件抽出部３２２は、経路探索結果における各区間の属性情報から固定可能条件を抽出する。ここで、属性情報とは、一つの移動手段（電車、バス、タクシー、徒歩等）により構成される区間に備わる情報であり、例えば、路線、列車種別、列車の車両種別、発着番線、経由駅、行き先、指定席の空き状況、バスの車両種別、および、交通機関の乗り場等である。
【００４５】
なお、固定可能条件抽出部３２２は、次回の経路探索で探索条件に含めても、正常に経路探索を行うことができない属性情報については固定可能条件として抽出しないようにすることが好ましい。このような属性情報として、例えば、当日既に全て終了した列車種別や行き先などが挙げられる。
【００４６】
また、経路探索結果が複数の候補経路を含む場合には、固定可能条件抽出部３２２は各候補経路から固定可能条件を抽出することが好ましい。
【００４７】
次に、サーバ３の通信部３１は、経路探索結果を端末装置２に送信する（ステップＳ３４）。この際、サーバ３は、経路探索結果とともに、ステップＳ３３で抽出された固定可能条件を端末装置２に送信する。そして、端末装置２の通信部２１は、サーバ３から送信された経路探索結果および固定可能条件を受信する（ステップＳ１３）。
【００４８】
次に、端末装置２の情報提示部２２３は、サーバ３から受信した経路探索結果をユーザに提示する（ステップＳ１４）。
【００４９】
図３（ａ）は、Ｘビルを出発地としＣ駅を目的地とした場合の経路探索結果を表示する画面の一例である。この経路探索結果は、ＸビルからＡ駅まで徒歩で行き、Ａ駅で路線Ｒ（ｒ行き）に乗り、途中Ｂ駅で路線Ｓ（ｓ行き）に乗り換えてＣ駅に到着する経路を示している。
【００５０】
図３（ａ）に示すように、情報提示部２２３は、固定可能条件を選択するモードに遷移するためのロックモード遷移ボタン４１を提示する。
【００５１】
なお、情報提示部２２３は、図３（ｂ）に示すように、経路探索結果の区間毎に、ロックモード遷移ボタン４１を提示してもよい。
【００５２】
次に、端末装置２の操作入力部２２１は、ユーザによりロックモード遷移ボタン４１に対する操作が行われたか否かを判定する（ステップＳ１５）。ロックモード遷移ボタン４１に対する操作が行われた場合（Ｓ１５：Ｙｅｓ）、ステップＳ１６に進み、そうでない場合（Ｓ１５：Ｎｏ）は処理を終了する。
【００５３】
なお、ロックモード遷移ボタン４１に対する操作とは、ロックモード遷移ボタン４１がタッチパネル等に表示されたボタンである場合には当該ボタンのタップ操作であり、ロックモード遷移ボタン４１がキーボード等に割り当てられたボタンである場合には当該ボタンの押下操作である。
【００５４】
ロックモード遷移ボタン４１に対する操作が行われると、端末装置２の情報提示部２２３は、固定可能条件を選択可能に提示する（ステップＳ１６）。
【００５５】
より詳しくは、情報提示部２２３は、経路探索結果とは別に固定可能条件を提示する。例えば、図４に示すように、情報提示部２２３は、固定可能条件を示す条件選択ボタン４２を経路探索結果に重ねて表示してもよい。図４の画面例では、キャンセルボタン４４がタップされると、経路探索結果の表示画面に戻る。
【００５６】
なお、図３（ｂ）に示すようにロックモード遷移ボタン４１が経路探索結果の区間毎に提示されている場合、情報提示部２２３は、操作が行われたロックモード遷移ボタン４１に対応する区間における固定可能条件を選択可能に提示する。
【００５７】
また、情報提示部２２３は、経路探索結果から固定可能条件を直接選択可能なように提示してもよい。換言すれば、情報提示部２２３は、属性情報のうち少なくとも一つを固定可能条件として選択可能なように経路探索結果を提示する。この場合、例えば、ロックモード遷移ボタン４１に対する操作が行われると、情報提示部２２３は、経路探索結果のうち固定可能条件として選択可能な部分（文字列、記号、アイコン等）を強調表示（色、書体等の変更）する。別の例として、ロックモード遷移ボタン４１を設けず、情報提示部２２３に提示された経路探索結果からユーザが固定可能条件を直接選択できるようにしてもよい。
【００５８】
また、情報提示部２２３は、固定可能条件ごとに条件選択ボタン４２の形態（形状、色など）を変更してもよい。例えば、路線を示す条件選択ボタン４２は四角形にし、列車種別を示す条件選択ボタン４２は長円形にしてもよい。また、地下鉄等の路線に係る条件選択ボタン４２の色を、鉄道会社によって当該路線に割り当てられている色に合わせてもよい。
【００５９】
また、情報提示部２２３は、条件選択ボタン４２として、実際の車体を模した形態のアイコンを表示してもよい。
【００６０】
次に、端末装置２の操作入力部２２１は、提示された固定可能条件の中から選択された固定可能条件を入力する（ステップＳ１７）。図４に示す例の場合、Ａ駅〜Ｂ駅区間については「路線Ｒ」が選択され、Ｂ駅〜Ｃ駅区間については「列車愛称Ｈ」が選択されている。よって、この場合、操作入力部２２１は、「路線Ｒ」および「列車愛称Ｈ」を選択された固定可能条件として入力する。
【００６１】
次に、端末装置２は、再探索条件をサーバ３に送信する（ステップＳ１８）。この再探索条件は、情報提示部２２３により提示された固定可能条件の中からユーザにより選択された固定可能条件を含む。
【００６２】
また、再探索条件は、ユーザにより選択された固定可能条件以外の条件として、新たに設定された条件を含む。新たに設定された条件は、例えば、ユーザにより新たに設定された出発日時、あるいは、現在時刻に基づいて探索条件設定部２２２により自動的に設定された出発日時である。
【００６３】
なお、図４に示す画面例の場合、再探索ボタン４３がタップされると再探索条件がサーバ３に送信される。
【００６４】
サーバ３は、端末装置２により送信された再探索条件を受信する（ステップＳ３５）。
【００６５】
次に、サーバ３の経路探索部３２１は、再探索条件に基づいて、再経路探索を行う（ステップＳ３６）。
【００６６】
次に、サーバ３は、再経路探索により得られた再経路探索結果を端末装置２に送信する（ステップＳ３７）。そして、端末装置２は、サーバ３から再経路探索結果を受信する（ステップＳ１９）。
【００６７】
なお、再経路探索結果の中に、ステップＳ３４で送信した候補経路と同じ候補経路が存在する場合には、サーバ３は当該候補経路を端末装置２に送信しないことが好ましい。
【００６８】
次に、端末装置２の情報提示部２２３は、サーバ３から受信した再経路探索結果を提示する（ステップＳ２０）。図５は、再経路探索結果を表示する画面の一例である。
【００６９】
なお、情報提示部２２３は、当初の探索条件に基づく経路探索結果との相違部分または一致部分を強調した態様で、再経路探索結果を提示してもよい。例えば、情報提示部２２３は、相違部分または一致部分の色や書体等を変更して提示する。図５の画面例では、当初の探索条件に基づく経路探索結果と相違する文字列（「ｒ’行き」、「２２号」、「ｓ’行き」、「２１番ホーム」）に下線を付けて表示している。
【００７０】
上記の情報処理方法により、ユーザが選択した条件を固定した状態で出発日時等を変更した再探索条件に基づいて経路探索が実行され、その結果がユーザに提示される。
【００７１】
なお、固定可能条件の抽出は、上記のステップＳ３３以外のタイミングで行ってもよい。例えば、ユーザによりロックモード遷移ボタン４１に対する操作が行われた時点で、端末装置２がサーバ３に選択可能な固定可能条件を要求し、当該要求に応じて固定可能条件抽出部３２２が固定可能条件を抽出し、サーバ３が端末装置２に固定可能条件を送信するようにしてもよい。
【００７２】
また、ステップＳ１６において固定可能条件を提示する際、経路探索結果として提示されないが固定可能な条件がある場合には、情報提示部２２３は、その固定可能条件も提示してもよい。
【００７３】
また、ステップＳ１６において固定可能条件を提示する際、情報提示部２２３は、固定可能条件同士の概念的な上下関係に基づいて、固定可能条件を階層的に提示してもよい。即ち、情報提示部２２３は、ある固定可能条件が選択されると、当該固定可能条件に関連する別の固定可能条件を提示するようにしてもよい。例えば、情報提示部２２３は、固定可能条件として当初「路線Ｓ」のみを提示しておき、ユーザが「路線Ｓ」を選択すると、路線Ｓで運行される「列車愛称Ｈ」を提示するようにしてもよい。
【００７４】
また、固定可能条件を区間ごとにまとめて選択できるようにしてもよい。例えば、ステップＳ１６において固定可能条件を提示する際に情報提示部２２３は経路の区間ごとに１つずつロックボタンを提示し、当該ロックボタンに対する操作が行われると、対応する区間の固定可能条件が全て選択されたとみなされるようにしてもよい。
【００７５】
以上説明したように、本実施形態では、ユーザに固定可能条件を提示し、ユーザによって選択された固定可能条件（即ち、ユーザが希望する条件）を固定した状態で再経路探索を行う。これにより、ユーザが希望する条件を満たす経路を容易に探索でき、その結果、ユーザの利便性を大幅に向上させることができる。
【００７６】
次に、本実施形態に係る情報処理システム１の使用例として、第１〜第３の使用例を説明する。
【００７７】
（第１の使用例）
本使用例は、座席に座っていきたいために、当駅始発の電車に乗車することを希望しているユーザの使用例である。
【００７８】
ユーザは、端末装置２を用い、Ｓ駅始発の電車に乗ってＧ駅に到着する経路を事前に得ていた。図６（ａ）は、この事前探索結果の表示画面を示している。しかし、予想よりもＳ駅までの移動に時間がかかり、事前に探索したＳ駅始発の電車に乗ることができなかった。時間に多少の余裕があるので、ユーザは次のＳ駅始発の電車に乗りたいと考えている。
【００７９】
従来技術の場合、一本後の電車を探索すると、図６（ｂ）に示すように、当駅始発ではない電車を利用する経路が探索されることがある。この場合、Ｓ駅始発の経路を得るには、出発時刻を変えながら経路探索を複数回行う必要がある。
【００８０】
これに対して本実施形態の場合、固定可能条件として画面に表示される「当駅始発」を選択し、一本後の電車を探索することにより、次のＳ駅始発の経路を得ることができる。図６（ｃ）は、再経路索結果の表示画面を示している。このように、ユーザは１回の経路探索で当駅始発の経路を確実に得ることができる。
【００８１】
（第２の使用例）
本使用例は、グリーン車に乗ることを希望しているユーザの使用例である。
【００８２】
ユーザは、端末装置２を用いて、Ｍ駅〜Ｕ駅の経路の探索結果を事前に得ていた。図７（ａ）は、この事前探索結果の表示画面を示している。しかし、乗り遅れそうなため、ユーザはグリーン車のある次の電車に乗りたいと考えている。
【００８３】
従来技術の場合、一本後の電車を探索すると、図７（ｂ）に示すように、グリーン車のない電車を利用する経路が探索されることがある。この経路探索結果では、乗換駅のＴ駅からＵ駅までの電車にはグリーン車があるが、Ｍ駅からＴ駅までの電車にはグリーン車がない。この場合、グリーン車の経路を得るには、出発時刻を変えながら経路探索を複数回行う必要がある。
【００８４】
これに対して本実施形態の場合、固定可能条件として画面に表示される「グリーン車」を選択し、一本後の電車を探索することにより、次のグリーン車の経路を得ることができる。図７（ｃ）は、再経路索結果の表示画面を示している。このように、ユーザは１回の経路探索でグリーン車の経路を確実に得ることができる。
【００８５】
（第３の使用例）
本使用例は、長距離移動のため乗車時間をできるだけ短縮することを希望しているユーザの使用例である。
【００８６】
ユーザは、端末装置２を用いて、Ｔ駅〜Ｓ駅の経路の探索結果を事前に得ていた。図８（ａ）は、この事前探索結果の表示画面を示している。しかし、乗り遅れそうなため、ユーザは乗車時間の短い列車愛称Ｎの次の電車に乗りたいと考えている。
【００８７】
従来技術の場合、一本後の電車を探索すると、図８（ｂ）に示すように、乗車時間が比較的長い列車愛称Ｈの電車を利用する経路が探索されることがある。この場合、列車愛称Ｎの経路を得るために、出発時刻を変えながら経路探索を複数回行う必要がある。
【００８８】
これに対して本実施形態の場合、固定可能条件として画面に表示される「列車愛称Ｎ」を選択し、一本後の電車を探索することにより、次の列車愛称Ｎの経路を得ることができる。図８（ｃ）は、再経路索結果の表示画面を示している。このように、ユーザは１回の経路探索で列車愛称Ｎの経路を確実に得ることができる。
【００８９】
以上、本発明の実施形態およびその使用例について説明した。
【００９０】
なお、図１に示す情報処理システムの構成は一例に過ぎず、サーバ３内の構成要件の少なくとも一部が端末装置２内にあってもよい。例えば、サーバ３内の制御部３２および記憶部３３を端末装置２内に設けて、通信を行うことなく端末装置２のみで経路探索装置を構成してもよい（いわゆるスタンドアローン）。また、他の例として、固定可能条件抽出部３２２を端末装置２に設けて、端末装置２がサーバ３から受信した経路探索結果から固定可能条件を抽出し、ユーザに提示してもよい。
【００９１】
上述した実施形態で説明した情報処理システム１の少なくとも一部は、ハードウェアで構成してもよいし、ソフトウェアで構成してもよい。ソフトウェアで構成する場合には、情報処理システム１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００９２】
また、情報処理システム１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００９３】
上記の記載に基づいて、当業者であれば、本発明の追加の効果や種々の変形を想到できるかもしれないが、本発明の態様は、上述した個々の実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【００９４】
１  情報処理システム
２  端末装置
３  サーバ
４  ネットワーク
２１  通信部
２２  制御部
３１  通信部
３２  制御部
３３  記憶部
４１  ロックモード遷移ボタン
４２  条件選択ボタン
４３  再探索ボタン
４４  キャンセルボタン
２２１  操作入力部
２２２  探索条件設定部
２２３  情報提示部
３２１  経路探索部
３２２  固定可能条件抽出部
３３１  経路ネットワークデータベース
【図１】
2015105828.tif 000003
【図２Ａ】
2015105828.tif 000004
【図２Ｂ】
2015105828.tif 000005
【図３】
2015105828.tif 000006
【図４】
2015105828.tif 000007
【図５】
2015105828.tif 000008
【図６】
2015105828.tif 000009
【図７】
2015105828.tif 000010
【図８】
2015105828.tif 000011